(57)【要約】      （修正有）【課題】振動衝撃減衰性能を低下させることなく、装置全体の薄型化に寄与する。【解決手段】  記録再生ユニット２１のそれぞれの面に設けられ第１及び第２の取付片３３，３４と、第１及び第２の取付片３３，３４に取り付けられるインシュレータ３５とを備える。それぞれのインシュレータ３５は、ディスクトレイ１１の開口部１７の周辺部に設けられた第１及び第２の挿入凹部３８，３９に取り付けられる。インシュレータ３５を２分割し、それぞれの取付片３３，３４に取り付けることで全体の薄型化を図る。【選択図】  図２
2006134543.tif 000002
【特許請求の範囲】
【請求項１】
記録媒体を回転する駆動手段と上記記録媒体に対して情報信号を記録し及び／又は記録媒体に記録された情報信号を再生する記録及び／又は再生手段を少なくとも備えた記録及び／又は再生ユニットと、この記録及び／又は再生ユニットが取り付けられるベースとの間に配設され、振動を減衰させるインシュレータにおいて、
上記インシュレータは、上記記録及び／又は再生ユニット又は上記ベースの何れか一方に設けられた取付片に取り付けられる取付部が設けられると共に、上記記録及び／又は再生ユニット又は上記ベースの何れか他方に突き当てられる突き当て部が設けられており、
上記取付片は、上記インシュレータが突き当てられる側の上記記録及び／又は再生ユニット又はベースの一方の面側に位置される第１の取付片と、上記インシュレータが突き当てられる側の上記記録及び／又は再生ユニット又はベースの他方の面側に位置される第２の取付片とを有し、
上記第１の取付片と上記第２の取付片は、互いに平行にずらされて設けられており、
上記インシュレータは、上記第１の取付片、上記第２の取付片のそれぞれに、上記突き当て部が、上記記録及び／又は再生ユニット又はベースのそれぞれの面側へ突き当てるように取り付けられることを特徴とするインシュレータ。
【請求項２】
記録媒体を回転する駆動手段と上記記録媒体に対して情報信号を記録し及び／又は記録媒体に記録された情報信号を再生する記録及び／又は再生手段を少なくとも備えた記録及び／又は再生ユニットと、この記録及び／又は再生ユニットが取り付けられるベースとの間で振動を減衰させる振動減衰装置において、
上記記録及び／又は再生ユニット又は上記ベースの何れか一方に設けられ、上記記録及び／又は再生ユニット又は上記ベースの何れか他方の一方の面側に位置される第１の取付片と、上記記録及び／又は再生ユニット又は上記ベースの何れか他方の他方の面側に位置される第２の取付片と、
上記第１及び第２の取付片に取り付けられる取付部が設けられると共に、上記記録及び／又は再生ユニット又は上記ベースの何れか他方に突き当てられる突き当て部が設けられれたインシュレータとを備え、
上記第１の取付片と上記第２の取付片は、互いに平行にずらされて設けられており、
上記第１の取付片のインシュレータは、上記突き当て部が上記記録及び／又は再生ユニット又は上記ベースの何れか他方の一方の面側から突き当てられ、
上記第２の取付片のインシュレータは、上記突き当て部が上記記録及び／又は再生ユニット又は上記ベースの何れか他方の他方の面側から突き当てられることを特徴とする振動減衰装置。
【請求項３】
上記第１の取付片に取り付けられたインシュレータと上記第２の取付片に取り付けられたインシュレータとで一の組をなし、
この組が複数箇所に設けられていることを特徴とする請求項２記載の振動減衰装置。
【請求項４】
上記第１及び第２の取付片に取り付けられたインシュレータが突き当てられる上記記録及び／又は再生ユニット又は上記ベースには、一方のインシュレータに対応して貫通した挿入凹部が設けられ、他方のインシュレータに対応して非貫通の挿入凹部が設けられ、
上記貫通した挿入凹部は、上記インシュレータの突き当て部が突き当てられる覆板によって閉塞されていることを請求項２記載の振動減衰装置。
【請求項５】
記録媒体を回転する駆動手段と上記記録媒体に対して情報信号を記録し及び／又は記録媒体に記録された情報信号を再生する記録及び／又は再生手段を少なくとも備えた記録及び／又は再生ユニットと、この記録及び／又は再生ユニットが取り付けられるベースとの間で振動を減衰させる振動減衰装置の組立方法において、
上記インシュレータは、上記記録及び／又は再生ユニット又は上記ベースの何れか一方に設けられた取付片に取り付けられる取付部が設けられると共に、上記記録及び／又は再生ユニット又は上記ベースの何れか他方に突き当てられる突き当て部が設けられており、
上記取付片は、上記インシュレータが突き当てられる側の上記記録及び／又は再生ユニット又はベースの一方の面に対向する第１の取付片と、上記インシュレータが突き当てられる側の上記記録及び／又は再生ユニット又はベースの他方の面に対向する第２の取付片とを有し、
上記第１の取付片と上記第２の取付片は、互いに平行にずらされて設けられており、
上記インシュレータの取付部が、上記第１の取付片、上記第２の取付片のそれぞれに取り付けられ、
次いで、このインシュレータの突き当て部が上記記録及び／又は再生ユニット又はベースの各面側から突き当てられるように、上記記録及び／又は再生ユニットとベースが組み合わされることを特徴とする振動減衰装置の組立方法。
【請求項６】
記録媒体を回転する駆動手段と回転する上記記録媒体に対して情報信号を記録し及び／又は記録媒体に記録された情報信号の再生を行う記録及び／又は再生手段とが設けられた記録及び／又は再生ユニットと、
上記記録及び／又は再生ユニットが取り付けられるベースと、
上記記録及び／又は再生ユニットとベースとの間で振動を減衰する振動減衰機構とを備え、
上記振動減衰機構は、上記記録及び／又は再生ユニット又は上記ベースの何れか一方に設けられ、上記記録及び／又は再生ユニット又は上記ベースの何れか他方の一方の面に対向する第１の取付片と、上記記録及び／又は再生ユニット又は上記ベースの何れか他方の他方の面に対向する第２の取付片と、
上記第１及び第２の取付片に取り付けられる取付部が設けられると共に、上記記録及び／又は再生ユニット又は上記ベースの何れか他方に突き当てられる突き当て部が設けられたインシュレータとを有し、
上記第１の取付片と上記第２の取付片は、互いに平行にずらされて設けられており、
上記第１の取付片のインシュレータは、上記突き当て部が上記記録及び／又は再生ユニット又は上記ベースの何れか他方の一方の面側から突き当てられ、
上記第２の取付片のインシュレータは、上記突き当て部が上記記録及び／又は再生ユニット又は上記ベースの何れか他方の他方の面側から突き当てられることを特徴とする記録及び／又は再生装置。
【請求項７】
上記記録媒体は、上記駆動手段に対して着脱可能であることを特徴とする請求項６記載の記録及び／又は再生装置。
【請求項８】
上記記録媒体は、上記駆動手段に一体的に固定されていることを特徴とする請求項６記載の記録及び／又は再生装置。
【請求項９】
上記第１の取付片に取り付けられるインシュレータと上記第２の取付片に取り付けられるインシュレータとで一の組をなし、
この組が複数箇所に設けられていることを特徴とする請求項６記載の記録及び／又は再生装置。
【請求項１０】
上記第１及び第２の取付片に取り付けられたインシュレータが突き当てられる上記記録及び／又は再生ユニット又は上記ベースには、一方のインシュレータに対応して貫通した挿入凹部が設けられ、他方のインシュレータに対応して非貫通の挿入凹部が設けられ、
上記貫通した挿入凹部は、上記インシュレータの突き当て部が突き当てられる覆板によって閉塞されていることを特徴とする請求項６記載の記録及び／又は再生装置。
【請求項１１】
記録媒体を回転する駆動手段と回転する上記記録媒体に対して情報信号を記録し及び／又は記録媒体に記録された情報信号の再生を行う記録及び／又は再生手段とが設けられた記録及び／又は再生ユニットと、
上記記録及び／又は再生ユニットを取り付ける取付体と、
上記記録及び／又は再生ユニットを取り付けた取付体が取り付けられる被取付体と、
上記取付体と被取付体との間で振動を減衰する振動減衰機構とを備え、
上記振動減衰機構は、上記取付体又は上記被取付体の何れか一方に設けられ、上記取付体又は上記被取付体の何れか他方の一方の面に対向する第１の取付片と、上記取付体又は上記被取付体の何れか他方の他方の面に対向する第２の取付片と、
上記第１及び第２の取付片に取り付けられる取付部が設けられると共に、上記取付体又は上記被取付体の何れか他方に突き当てられる突き当て部が設けられたインシュレータとを有し、
上記第１の取付片と上記第２の取付片は、互いにずらされて設けられており、
上記第１の取付片のインシュレータは、上記突き当て部が上記取付体又は上記被取付体の何れか他方の一方の面側から突き当てられ、
上記第２の取付片のインシュレータは、上記取付体又は上記被取付体の何れか他方の他方の面側から突き当てられることを特徴とする記録及び／又は再生装置。
【請求項１２】
上記記録媒体は、上記駆動手段に対して着脱可能である請求項１１記載の記録及び／又は再生装置。
【請求項１３】
上記記録及び／又は再生ユニットは、上記記録媒体が上記駆動手段に一体的に固定され、上記記録媒体、上記駆動手段及び上記記録及び／又は再生手段とがケース内に収納されてなることを特徴とする請求項１１記載の記録及び／又は再生装置。
【請求項１４】
上記第１の取付片に取り付けられるインシュレータと上記第２の取付片に取り付けられるインシュレータとで一の組をなし、
この組が複数箇所に設けられていることを特徴とする請求項１１記載の記録及び／又は再生装置。
【請求項１５】
上記第１及び第２の取付片に取り付けられたインシュレータが突き当てられる上記取付体又は上記被取付体には、一方のインシュレータに対応して貫通した挿入凹部が設けられ、他方のインシュレータに対応して非貫通の挿入凹部が設けられ、
上記貫通した挿入凹部は、上記インシュレータの突き当て部が突き当てられる覆板によって閉塞されていることを特徴とする請求項１１記載の記録及び／又は再生装置。
【請求項１６】
記録媒体を回転する駆動手段と回転する上記記録媒体に対して情報信号を記録し及び／又は記録媒体に記録された情報信号の再生を行う記録及び／又は再生手段とが設けられ、振動を減衰する振動減衰機構を介してベースに取り付けられる記録及び／又は再生ユニットにおいて、
上記振動減衰機構は、上記記録及び／又は再生ユニットに設けられ、上記ベースの一方の面に対向する第１の取付片と、上記ベースの他方の面に対向する第２の取付片と、
上記第１及び第２の取付片に取り付けられる取付部が設けられると共に、上記ベースに突き当てられる突き当て部が設けられたインシュレータとを有し、
上記第１の取付片と上記第２の取付片は、互いに平行にずらされて設けられており、
上記第１の取付片のインシュレータは、上記突き当て部が上記ベースの一方の面側から突き当てられ、
上記第２の取付片のインシュレータは、上記突き当て部が上記ベースの他方の面側から突き当てられることを特徴とする記録及び／又は再生ユニット。
【発明の詳細な説明】
【技術分野】
【０００１】
本発明は、記録及び／又は再生ユニットへの振動を減衰するインシュレータ、インシュレータを備えた振動減衰装置、振動減衰装置の組立方法及び記録及び／又は再生装置に関する。
【背景技術】
【０００２】
ノート型のパーソナルコンピュータ等の小型の情報処理装置には、ＣＤ（Compact Disc）、ＤＶＤ（Digital Versatile Disc）等の再生、追記及び書換が可能な光ディスクドライブが搭載されている。また、小型の情報処理装置には、磁気ディスクを記録媒体としたハードディスクドライブが搭載されている。この小型の情報処理装置は、携帯性の向上の観点から小型化、薄型化が求められ、これに伴い、情報処理装置に搭載される光ディスクドライブやハードディスクドライブといった記録再生ユニットも小型化や薄型化が求められている。
【０００３】
ところで、光ディスクドライブにあっては、内部に、光ディスクを回転するためのスピンドルモータの駆動軸に一体的に取り付けられたディスクテーブルやステッピングモータによって光ディスクの径方向に移動される光ピックアップ等が内蔵されている。また、ハードディスクドライブにあっては、磁気ディスクを回転する磁気ディスクと一体的なスピンドルモータやボイスコイルモータによって移動される磁気ヘッド装置が内蔵されている。
【０００４】
光ディスクドライブ、ハードディスクドライブの何れの記録再生ユニットにしても、動作中に振動が加わると、光ピックアップや磁気ヘッド装置等の記録再生手段によって、光ディスクやハードディスクの記録媒体に設けられている記録トラックを正確にトレースすることができなくなり、情報信号の記録及び／又は再生を正確に行うことができなくなることがある。また、振動によって、記録媒体と記録再生手段とが衝突してしまうことがある。このような問題点は、デスクトップ型のパーソナルコンピュータ等の据え置き型の情報処理装置についても同様である。
【０００５】
一方で、記録再生ユニットは、内部に複数のモータを備えており、このモータにより記録再生手段が移動されることから、モータや記録再生手段が振動源ともなる。携帯型の情報処理装置は、小型でありユーザが持った状態で使用されるものであるから、光ディスクドライブやハードディスクドライブからの振動がユーザにも伝わってしまうと、使用感を悪くしてしまう。
【０００６】
そこで、記録再生ユニットは、情報処理装置内において、振動減衰装置を介して取り付けられている。振動減衰装置として、図１２に示すものがある。この振動減衰装置１００は、外筐１０１内に、記録再生ユニット１０２が設けられている。この記録再生ユニット１０２には、スピンドルモータの駆動軸に取り付けられ、光ディスク１０３が装着されるディスクテーブル１０３ａと、図示しないが光ディスクに対して光ビームを照射し反射された光ビームを検出する光ピックアップと、この光ピックアップを光ディスク１０３の径方向に移動するステッピングモータが設けられている。この記録再生ユニット１０２には、周囲に、取付片１０４が複数設けられ、これら取付片１０４には、取付孔１０５が設けられている。
【０００７】
一方、外筐１０１には、記録再生ユニット１０２が取り付けられる取付ピン１０６が取付孔１０５に対応して設けられている。また、取付ピン１０６の先端には、ストッパとなるフランジ部１０７が設けられている。取付孔１０５と取付ピン１０６との関係は、取付孔１０５の直径が取付ピン１０６の軸径より大きくなっており、取付ピン１０６には、振動を減衰させるインシュレータ１０８が取り付けられている。このインシュレータ１０８は、取付ピン１０６に取り付けられた状態で、取付孔１０５に圧入される。これにより、インシュレータ１０８は、取付孔１０５と取付ピン１０６との間、フランジ部１０７と取付片１０４との間、取付片１０４と外筐１０１を構成する底板１０１ａとの間に介在される。そして、インシュレータ１０８は、振動が加わると、圧縮され、このときの内部粘性抵抗によって振動を吸収する。
【０００８】
具体的に、図１３に示すように、記録再生ユニット２１に対して下側から図１３中矢印Ａ方向の振動が加わったとき、この振動減衰装置１００は、振動によってフランジ部１０７と取付片１０４との間のインシュレータ１０８の一部が圧縮し、記録再生ユニット２１に加わる振動を減衰する。また、振動減衰装置１００は、記録再生ユニット２１に対して上側から図１４中矢印Ｂ方向の振動が加わったとき、振動によって取付片１０４と外筐１０１を構成する底板１０１ａとの間のインシュレータ１０８の一部が圧縮し、記録再生ユニット２１に加わる振動を減衰する。これにより、振動減衰装置１００は、記録再生ユニット１０２が振動により故障してしまうことを防止することができる。
【０００９】
なお、同種のインシュレータが開示された文献としては、下記特許文献１がある。
【００１０】
記録再生ユニットの薄型を考慮した場合、この振動減衰装置１００についても薄型化する必要がある。しかしながら、この振動減衰装置１００は、記録再生ユニット１０２の取付片１０４の上下にインシュレータ１０８の一部が取付ピン１０６に沿って直列的に存在しており、薄型化に不向きである。
【００１１】
また、インシュレータ１０８の薄型化を図るためには、インシュレータ１０８の小型薄型化を行うこともできる。しかしながら、インシュレータ１０８は、小型薄型化すると、共振周波数の上昇や減衰効果を低下させてしまうことになり、記録再生ユニット１０２が問題とする周波数の振動を効果的に減衰することができなくなる。
【００１２】
【特許文献１】特開２００１−３５１３６７号公報
【発明の開示】
【発明が解決しようとする課題】
【００１３】
本発明は、以上のような問題点に鑑みてなされたものであり、振動衝撃減衰性能を低下させることなく、装置全体の薄型化に寄与することができるインシュレータ、インシュレータを備えた振動減衰装置及びその組立方法を提供することを目的とする。
【００１４】
また、本発明は、振動減衰機構の薄型化を図ることによって全体の薄型化を実現した記録及び／又は再生装置を提供することを目的とする。
【課題を解決するための手段】
【００１５】
本発明に係るインシュレータは、記録媒体を回転する駆動手段と上記記録媒体に対して情報信号を記録し及び／又は記録媒体に記録された情報信号を再生する記録及び／又は再生手段を少なくとも備えた記録及び／又は再生ユニットと、この記録及び／又は再生ユニットが取り付けられるベースとの間に配設され、振動を減衰させるインシュレータである。このインシュレータは、上記記録及び／又は再生ユニット又は上記ベースの何れか一方に設けられた取付片に取り付けられる取付部が設けられると共に、上記記録及び／又は再生ユニット又は上記ベースの何れか他方に突き当てられる突き当て部が設けられている。また、上記取付片は、上記インシュレータが突き当てられる側の上記記録及び／又は再生ユニット又はベースの一方の面側に位置される第１の取付片と、上記インシュレータが突き当てられる側の上記記録及び／又は再生ユニット又はベースの他方の面側に位置される第２の取付片とを有し、上記第１の取付片と上記第２の取付片は、互いに平行にずらされて設けられている。上記インシュレータは、上記第１の取付片、上記第２の取付片のそれぞれに、上記突き当て部が、上記記録及び／又は再生ユニット又はベースのそれぞれの面側へ突き当てるように取り付けられる。
【００１６】
本発明に係る振動減衰装置は、記録媒体を回転する駆動手段と上記記録媒体に対して情報信号を記録し及び／又は記録媒体に記録された情報信号を再生する記録及び／又は再生手段を少なくとも備えた記録及び／又は再生ユニットと、この記録及び／又は再生ユニットが取り付けられるベースとの間で振動を減衰させる振動減衰装置であり、上記記録及び／又は再生ユニット又は上記ベースの何れか一方に設けられ、上記記録及び／又は再生ユニット又は上記ベースの何れか他方の一方の面側に位置される第１の取付片と、上記記録及び／又は再生ユニット又は上記ベースの何れか他方の他方の面側に位置される第２の取付片と、上記第１及び第２の取付片に取り付けられる取付部が設けられると共に、上記記録及び／又は再生ユニット又は上記ベースの何れか他方に突き当てられる突き当て部が設けられれたインシュレータとを備える。上記第１の取付片と上記第２の取付片は、互いに平行にずらされて設けられている。上記第１の取付片のインシュレータは、上記突き当て部が上記記録及び／又は再生ユニット又は上記ベースの何れか他方の一方の面側から突き当てられ、上記第２の取付片のインシュレータは、上記突き当て部が上記記録及び／又は再生ユニット又は上記ベースの何れか他方の他方の面側から突き当てられる。
【００１７】
本発明に係る振動減衰装置の組立方法は、記録媒体を回転する駆動手段と上記記録媒体に対して情報信号を記録し及び／又は記録媒体に記録された情報信号を再生する記録及び／又は再生手段を少なくとも備えた記録及び／又は再生ユニットと、この記録及び／又は再生ユニットが取り付けられるベースとの間で振動を減衰させる振動減衰装置の組立方法である。この組立方法において、上記インシュレータは、上記記録及び／又は再生ユニット又は上記ベースの何れか一方に設けられた取付片に取り付けられる取付部が設けられると共に、上記記録及び／又は再生ユニット又は上記ベースの何れか他方に突き当てられる突き当て部が設けられており、上記取付片は、上記インシュレータが突き当てられる側の上記記録及び／又は再生ユニット又はベースの一方の面に対向する第１の取付片と、上記インシュレータが突き当てられる側の上記記録及び／又は再生ユニット又はベースの他方の面に対向する第２の取付片とを有し、上記第１の取付片と上記第２の取付片は、互いに平行にずらされて設けられている。そして、上記インシュレータの取付部が、上記第１の取付片、上記第２の取付片のそれぞれに取り付けられ、次いで、このインシュレータの突き当て部が上記記録及び／又は再生ユニット又はベースの各面側から突き当てられるように、上記記録及び／又は再生ユニットとベースが組み合わされる。
【００１８】
本発明に係る記録及び／又は再生装置は、記録媒体を回転する駆動手段と回転する上記記録媒体に対して情報信号を記録し及び／又は記録媒体に記録された情報信号の再生を行う記録及び／又は再生手段とが設けられた記録及び／又は再生ユニットと、上記記録及び／又は再生ユニットが取り付けられるベースと、上記記録及び／又は再生ユニットとベースとの間で振動を減衰する振動減衰機構とを備える。上記振動減衰機構は、上記記録及び／又は再生ユニット又は上記ベースの何れか一方に設けられ、上記記録及び／又は再生ユニット又は上記ベースの何れか他方の一方の面に対向する第１の取付片と、上記記録及び／又は再生ユニット又は上記ベースの何れか他方の他方の面に対向する第２の取付片と、上記第１及び第２の取付片に取り付けられる取付部が設けられると共に、上記記録及び／又は再生ユニット又は上記ベースの何れか他方に突き当てられる突き当て部が設けられたインシュレータとを有する。上記第１の取付片と上記第２の取付片は、互いに平行にずらされて設けられており、上記第１の取付片のインシュレータは、上記突き当て部が上記記録及び／又は再生ユニット又は上記ベースの何れか他方の一方の面側から突き当てられ、上記第２の取付片のインシュレータは、上記突き当て部が上記記録及び／又は再生ユニット又は上記ベースの何れか他方の他方の面側から突き当てられる。
【００１９】
本発明に係る記録及び／又は再生装置は、記録媒体を回転する駆動手段と回転する上記記録媒体に対して情報信号を記録し及び／又は記録媒体に記録された情報信号の再生を行う記録及び／又は再生手段とが設けられた記録及び／又は再生ユニットと、上記記録及び／又は再生ユニットを取り付ける取付体と、上記記録及び／又は再生ユニットを取り付けた取付体が取り付けられる被取付体と、上記取付体と被取付体との間で振動を減衰する振動減衰機構とを備える。上記振動減衰機構は、上記取付体又は上記被取付体の何れか一方に設けられ、上記取付体又は上記被取付体の何れか他方の一方の面に対向する第１の取付片と、上記取付体又は上記被取付体の何れか他方の他方の面に対向する第２の取付片と、上記第１及び第２の取付片に取り付けられる取付部が設けられると共に、上記取付体又は上記被取付体の何れか他方に突き当てられる突き当て部が設けられたインシュレータとを有する。上記第１の取付片と上記第２の取付片は、互いにずらされて設けられており、上記第１の取付片のインシュレータは、上記突き当て部が上記取付体又は上記被取付体の何れか他方の一方の面側から突き当てられ、上記第２の取付片のインシュレータは、上記取付体又は上記被取付体の何れか他方の他方の面側から突き当てられる。
【００２０】
本発明に係る記録及び／又は再生ユニットは、記録媒体を回転する駆動手段と回転する上記記録媒体に対して情報信号を記録し及び／又は記録媒体に記録された情報信号の再生を行う記録及び／又は再生手段とが設けられ、振動を減衰する振動減衰機構を介してベースに取り付けられる記録及び／又は再生ユニットであり、上記振動減衰機構は、上記記録及び／又は再生ユニットに設けられ、上記ベースの一方の面に対向する第１の取付片と、上記ベースの他方の面に対向する第２の取付片と、上記第１及び第２の取付片に取り付けられる取付部が設けられると共に、上記ベースに突き当てられる突き当て部が設けられたインシュレータとを有する。上記第１の取付片と上記第２の取付片は、互いに平行にずらされて設けられており、上記第１の取付片のインシュレータは、上記突き当て部が上記ベースの一方の面側から突き当てられ、上記第２の取付片のインシュレータは、上記突き当て部が上記ベースの他方の面側から突き当てられる。
【発明の効果】
【００２１】
本発明によれば、インシュレータを２分割して構成し、それぞれのインシュレータを、互いに重ならないように面方向にずらされた第１及び第２の取付片に取り付けるようにしたので、装置全体の薄型化を図ることができる。
【発明を実施するための最良の形態】
【００２２】
以下、本発明を用いた情報処理装置を図面を参照して説明する。
【００２３】
図１に示すように、この情報処理装置１は、ノート型のパーソナルコンピュータであって、装置本体２と、この装置本体２に回動可能に取り付けられ、装置本体２の蓋体ともなる表示部３とを備える。装置本体２には、内部に、ＣＤ、ＤＶＤといった再生専用、追記型、書換型の光ディスクの記録再生を行う光ディスクドライブ４が設けられていると共に、磁気ディスクを記録媒体に用いるハードディスクドライブ５が内蔵されている。その他、装置本体２には、ＲＯＭ（Read Only Memory）、ＲＡＭ（Random Access Memory）、ＣＰＵ（Central Processing Unit）等の電子部品が実装されたプリント配線基板が内蔵されている。また、装置本体２の操作面には、入力部となるキーボードが設けられている。表示部３は、このキーボードが設けられた操作面を開閉するようにして装置本体２の背面側に回動可能に取り付けられており、装置本体２と対向する面にＬＣＤ（Liquid Crystal Display）等で構成された表示面が設けられている。
【００２４】
上述の光ディスクドライブ４は、装置本体２の一側面から、光ディスク６を保持するディスクトレイ１１が排出される構成となっている。このディスクトレイ１１は、図２に示すように、略矩形をなす板状体であり、一方の主面に、光ディスク６が内接する大きさのディスク保持凹部１２が設けられている。光ディスク６は、通常直径を１２ｃｍとなすため、このディスク保持凹部１２は、光ディスク６の直径よりやや大きい直径を有するように形成されている。なお、直径を１２ｃｍとなす光ディスク６より小径の例えば８ｃｍの光ディスクを回転可能に保持できるように、ディスクトレイ１１には、ディスク保持凹部１２と中心を一致させて小径の更なるディスク保持凹部を設けるようにしても良い。
【００２５】
このディスクトレイ１１は、図１及び図２に示すように、装置本体２の一側面に設けられた挿脱口１３と連続した収納部１４に収納されており、その前面１１ａが挿脱口１３より外部に臨み、装置本体２の一側面の一部を構成するようになっている。そして、このディスクトレイ１１は、その前面がユーザによって前面が押されることによって、ロックが解除され、バネ等の付勢手段による付勢力によって装置本体２の外方に突出し、ディスク保持凹部１２を外部に臨ませ、光ディスク６の着脱や交換を行うことができるようにする。
【００２６】
具体的に、ディスクトレイ１１は、図２に示すように、このディスクトレイ１１の排出方向と平行な両側縁に、装置本体２の収納部１４に設けられたガイド凹部に係合するガイドレール１５が設けられている。また、ガイドレール１５の後端には、装置本体２のガイド凹部に設けられた係止部に係止されるストッパ１６が設けられている。ディスクトレイ１１は、ガイドレール１５が係合した装置本体２のガイド凹部に従って、ストッパ１６がガイド凹部に設けられた係止部に係止されるまで装置本体２外に突出されることになる。そして、この突出位置において、ディスクトレイ１１は、ディスク保持凹部１２のほぼ全部を装置本体２の外部に臨ませ、光ディスク６の交換等が可能な状態になる。
【００２７】
このディスクトレイ１１には、ディスク保持凹部１２内での中程から前面側に亘って、開口部１７が設けられている。この開口部１７には、光ディスク６の記録再生を行うための記録再生ユニット２１が取り付けられる。この記録再生ユニット２１は、図２、図３及び図４に示すように、取付板２２を有し、この取付板２２には、光ディスク６を回転するディスク回転機構２３が設けられている。ディスク回転機構２３は、取付板２２の裏面２２ｂ側に駆動軸を表面２２ａ側に突出させるように取り付けられた駆動源となるスピンドルモータ２３ａと、このスピンドルモータ２３ａに一体的に取り付けられたディスクテーブル２３ｂとを有する。
【００２８】
ディスクテーブル２３ｂは、中央部に、光ディスク６のセンタ孔に係合するセンタリング部２３ｃが設けられていると共に、光ディスク６のセンタ孔の周辺部を支持するディスク支持部２３ｄが設けられている。ディスクテーブル２３ｂは、センタリング部２３ｃが光ディスク６のセンタ孔に係合し、光ディスク６のセンタリングを図った状態で、光ディスク６を一体的に、ＣＬＶ（Constant Linear Velocity）、ＣＡＶ（Constant Angular Velocity）又はこれらの組み合わせの方法で回転する。
【００２９】
また、取付板２２には、光ピックアップ２４及びこの光ピックアップ２４を送り操作する送り機構２５が設けられている。光ピックアップ２４は、取付板２２に設けられたピックアップ用開口部２４ｃ内に、ディスクテーブル２３ｂに装着された光ディスク６の径方向に移動可能となすように取り付けられる。この光ピックアップ２４は、本体部２４ａ内に、半導体レーザ、光検出素子、対物レンズ２４ｂ等の光学素子を備えた光学ブロックが内蔵されている。光ピックアップ２４は、半導体レーザから出射された光ビームを対物レンズ２４ｂで集光し、光ディスク６の信号記録面に集光した光ビームを照射すると共に、光ディスク６の信号記録面で反射された光ビームを光検出素子で検出する。光ピックアップ２４は、光ディスク６で反射された戻りの光ビームを検出することによって、対物レンズ２４ｂのフォーカシング制御やトラッキング制御を行う共に、光ディスク６に記録された情報信号の読出や光ディスク６への情報信号の記録を行う。
【００３０】
この光ピックアップ２４は、本体部２４ａが送り機構２５によって支持されている。この送り機構２５は、一対のガイド軸２５ａを有し、一対のガイド軸２５ａによって光ピックアップ２４の本体部２４ａを、ディスクテーブル２３ｂに装着された光ディスク６の径方向に移動可能に支持している。また、送り機構２５は、光ピックアップ２４を、ディスクテーブル２３ｂに装着された光ディスク６の径方向に移動する送りギヤ２５ｂを有する。送りギヤ２５ｂは、取付板２２に固定される回転支持板２２ｃに回転自在に取り付けられており、ステッピングモータ等の駆動源から複数のギヤ等で構成された伝達機構を介して回転される。この送りギヤ２５ｂは、光ピックアップ２４の本体部２４ａに設けられたラックギヤ２５ｃに噛合される。光ピックアップ２４は、この送りギヤ２５ｂが回転することによって、光ディスク６の径方向に移動される。
【００３１】
以上のように構成された記録再生ユニット２１は、取付板２２にディスク回転機構２３、光ピックアップ２４、送り機構２５が組み付けられ光ディスク６に対する対物レンズ２４ｂの光軸の傾き調整、すなわちスキュー調整が行われた後、ディスクトレイ１１の開口部１７に取り付けられる。ところで、ディスクトレイ１１は、ガイドレール１５が装置本体２のガイド凹部に係合されることによって装置本体２内に支持されるものであるから、装置本体２に加わった衝撃は、装置本体２の収納部１４に収納されたディスクトレイ１１に伝達される。そこで、記録再生ユニット２１は、取付板２２とベースとなるディスクトレイ１１との間に、振動減衰機構３１を設けて、外部から加わった振動を減衰し、記録再生ユニット２１に加わる振動をやわらげるようにしている。また、この振動減衰機構３１は、光ディスク６の回転時や光ピックアップ２４の送り機構２５による移動時に発生する振動を減衰し、ディスクトレイ１１を介して装置本体２に伝達されないようにする。
【００３２】
なお、この光ディスクドライブ４では、取付板２２を基準として、ディスク回転機構２３、光ピックアップ２４、送り機構２５がスキューを調整して組み付けられることから、この記録再生ユニット２１を、ディスクトレイ１１に振動減衰機構３１を介して取り付けることによって、スキューが規格値から外れることもない。
【００３３】
この振動減衰機構３１は、図４に示すように、振動源となるディスク回転機構２３の近傍の振動減衰部３２ａと、振動源となる送り機構２５の近傍の振動減衰部３２ｂと、ピックアップ用開口部２４ｃを挟んだ振動減衰部３２ｂと略対向する位置に設けられた振動減衰部３２ｃとから構成されている。すなわち、振動減衰機構３１は、振動源の近くに振動減衰部３２ａ，３２ｂを設けると共に、重量バランスを考慮しつつ構成の簡素化や部品点数の増加を防ぐため記録再生ユニット２１をベースとなるディスクトレイ１１の開口部１７に３点支持するように設けられている。なお、振動減衰部の数は、３つに限定されるものではなく、更に多く設けることによって、振動減衰効率を高めるようにしても良く、また、１つや２つであっても良い。なお、これら３つの振動減衰部３２ａ，３２ｂ，３２ｃは、同様の構成を有するため、以下これらをまとめて単に振動減衰部３２とも言う。
【００３４】
この振動減衰部３２は、図４に示すように、取付板２２の光ディスク６の装着面となる表面２２ａと連続するように設けられる第１の取付片３３と、取付板２２の表面２２ａと対向する裏面２２ｂに連続するように設けられる第２の取付片３４とを有する。第１の取付片３３と第２の取付片３４とは、対をなし、また、取付板２２の面方向に互いに重ならない程度にまでずれるように設けられている。第１の取付片３３と第２の取付片３４は、ディスクトレイ１１の開口部１７の周辺部を挟み込むことができる程度に取付板２２の厚さ方向に離間して設けられている。
【００３５】
第１及び第２の取付片３３，３４の相対する内面には、振動を減衰するインシュレータ３５が取り付けられる。このインシュレータ３５は、図５（Ａ）及び図５（Ｂ）に示すように、情報処理装置１や記録再生ユニット２１に特有の周波数の振動を特に効率的に吸収することができるゴム等の弾性材料で形成されている。このインシュレータ３５は、一方の面がベースとなるディスクトレイ１１の開口部１７の周辺部に突き当てられる突き当て部３５ａとなり、この突き当て部３５ａには、ディスクトレイ１１の開口部１７の周辺部に突き当てられる先端面が平坦に形成され高さが同じの複数の突部３６が環状に設けられている。突部３６は、その立設方向と直交する横方向の振動が加わったとき、同方向に弾性変位することによって横方向の振動を吸収する。
【００３６】
インシュレータ３５の突き当て面と反対側の他方の面は、第１及び第２の取付片３３，３４への取付部３５ｂとなっており、平坦に形成されている。この取付部３５ｂは、周囲に、第１及び第２の取付片３３，３４に取り付けるための係合片３７が複数設けられている。インシュレータ３５は、図４に示すように、複数の係合片３７の内側に、第１及び第２の取付片３３，３４が圧入されることによって、第１及び第２の取付片３３，３４の外周面が複数の係合片３７に係合保持され、第１及び第２の取付片３３，３４に取り付けられる。
【００３７】
また、振動減衰部３２は、図６及び図７に示すように、第１及び第２の取付片３３，３４が取り付けられたインシュレータ３５が挿入される挿入部として、ディスクトレイ１１の開口部１７の周辺部に第１の挿入凹部３８と第２の挿入凹部３９が設けられている。第１の挿入凹部３８は、図２及び図６に示すように、第１の取付片３３に取り付けられたインシュレータ３５が挿入される部分であり、貫通して設けられている。第１の挿入凹部３８は、第１の取付片３３と略同じ大きさと形状をなし形成され、第１の取付片３３に取り付けられたインシュレータ３５が挿入されたとき、面方向の取付位置を規制する規制部ともなる。なお、第１の挿入凹部３８は、後述のように、記録再生ユニット２１のディスクトレイ１１の開口部１７への取付のため貫通して形成されている。また、第１の取付片３３は、光ディスク６の装着面ともなる取付板２２の表面２２ａに臨むことになるため、取付板２２の表面２２ａと略面一となすように第１の挿入凹部３８に挿入される。
【００３８】
第２の挿入凹部３９は、図３及び図７に示すように、第２の取付片３４に取り付けられたインシュレータ３５が挿入される部分であり、ディスクトレイ１１の裏面側を開口端とし非貫通となるように形成されている。第２の挿入凹部３９は、第２の取付片３４と略同じ大きさと形状をなし形成され、第２の取付片３４に取り付けられたインシュレータ３５が挿入されたとき、面方向の取付位置を規制する規制部ともなる。
【００３９】
次に、記録再生ユニット２１のディスクトレイ１１の開口部１７への取付方法について図２、図３、図６及び図７を用いて説明する。上述したように、第１の挿入凹部３８は、貫通しており、第２の挿入凹部３９は、非貫通である。そこで、記録再生ユニット２１は、ディスクトレイ１１の裏面側から、貫通した第１の挿入凹部３８にインシュレータ３５が取り付けられた第１の取付片３３を挿入し、非貫通の第２の挿入凹部３９にインシュレータ３５が取り付けられた第２の取付片３４を嵌合させる。これにより、第２の挿入凹部３９に勘合された第２の取付片３４に取り付けられたインシュレータ３５の突部３６は、第２の挿入凹部３９の底面に突き当てられることになる。一方、第１の挿入凹部３８は、貫通しているため、第１の取付片３３に取り付けられたインシュレータ３５の突部３６が突き当てられる部分が存在しない。そこで、貫通した第１の挿入凹部３８については、図３に示すように、第１の挿入凹部３８の底部を閉塞するようにして覆板４１がねじ等の固定部材によってディスクトレイ１１の裏面に固定される。これにより、第１の取付片３３に取り付けられたインシュレータ３５の突部３６は、ディスクトレイ１１の裏面に固定された覆板４１に突き当てられることになる。
【００４０】
図８は、ディスクトレイ１１の開口部１７に記録再生ユニット２１が取り付けられたときの振動減衰部３２を示すものであり、同図においては、インシュレータ３５の突部３６を省略している。図８に示すように、第１の取付片３３に取り付けられたインシュレータ３５は、その突き当て部３５ａがディスクトレイ１１の裏面に固定されている覆板４１に突き当てられており、第２の取付片３４に取り付けられたインシュレータ３５は、その突き当て部３５ａが第２の挿入凹部３９の底部に突き当てられている。すなわち、ディスクトレイ１１の開口部１７の周辺部は、記録再生ユニット２１側の第１の取付片３３に取り付けられたインシュレータ３５と第２の取付片３４に取り付けられたインシュレータ３５とによって挟み込まれた状態となる。
【００４１】
以上のように、記録再生ユニット２１は、ディスクトレイ１１の開口部１７に振動減衰機構３１を介して取り付けられ、記録再生ユニット２１が取り付けられたディスクトレイ１１は、情報処理装置１の装置本体の収納部１４に取り付けられることになる。この情報処理装置１は、上述のように、ノート型のパーソナルコンピュータであって携帯型である。したがって、情報処理装置１は、ユーザによって持ち運びされ、光ディスクドライブ４の動作時、非動作時にかかわらず様々な振動が加わることになる。
【００４２】
情報処理装置１に振動が加わり、記録再生ユニット２１に対してディスクトレイ１１の裏面側から図９中矢印Ａ方向の振動が加わったとき、この振動減衰部３２は、第２の取付片３４に取り付けられたインシュレータ３５が振動によって圧縮され、記録再生ユニット２１に加わる振動を減衰する。また、振動減衰部３２は、記録再生ユニット２１に対してディスクトレイ１１の表面側から図１０中矢印Ｂ方向の振動が加わったとき、第１の取付片３３に取り付けられたインシュレータ３５が振動により圧縮され、記録再生ユニット２１に加わる振動を減衰する。インシュレータ３５の突部３６は、その立設方向と直交する横方向の振動が加わったとき、同方向に弾性変位することによって横方向の振動を減衰する。これにより、光ディスクドライブ４が振動により故障してしまうことを防止することができる。
【００４３】
また、光ディスクドライブ４は、光ディスク６の記録再生時、ディスクトレイ１１のディスク保持凹部１２に載置され、ディスクテーブル２３ｂにより光ディスク６を回転している。光ピックアップ２４は、光ビームを光ディスク６の信号記録面に照射し、反射された戻りの光ビームを検出することによって、対物レンズ２４ｂのフォーカシング制御やトラッキング制御を行い、対物レンズ２４ｂが記録トラックに追従するようにし、この状態で、光ディスク６に情報信号を記録し、また、光ディスク６に記録された情報信号の読出を行っている。以上のような光ディスクドライブ４の動作時においても、上述した振動減衰機構３１は、上下や横方向から加わる振動を減衰することから、例えば振動によって、対物レンズ２４ｂのフォーカシング制御やトラッキング制御が外れてしまい、情報信号の記録や再生に失敗することを防止することができる。
【００４４】
また、光ディスクドライブ４の動作時においては、ディスク回転機構２３は、スピンドルモータ２３ａが駆動し、光ディスク６を回転し、光ピックアップ２４は送り機構２５によって光ディスク６の径方向に移動され、これらの要因によって、記録再生ユニット２１も振動発生源となる。振動減衰機構３１では、このような記録再生ユニット２１で発生する振動を吸収することによって、記録再生ユニット２１で発生した振動がユーザに伝わることを防止し、使用感の向上を図ることができる。
【００４５】
以上のように構成された情報処理装置１において、光ディスクドライブ４は、記録再生ユニット２１をディスクトレイ１１の開口部１７に取り付けるに当たって、各振動減衰部３２を、インシュレータ３５を２分割して構成し、それぞれのインシュレータ３５を、互いに重ならないように面方向にずらされた第１及び第２の取付片３３，３４に取り付けるようにしたので、全体の薄型化を図ることができる。すなわち、図１２に示すように、従来の振動減衰装置１００に用いられていたインシュレータ１０８は、２分割されておらず、取付ピン１０６に取り付ける構成であるため、記録再生ユニット１０２の取付片１０４の上下にインシュレータ１０８の一部が取付ピン１０６に沿って直列的に存在している。この点、本発明を適用した振動減衰機構３１では、インシュレータ３５が２分割され、一の振動減衰部３２において、インシュレータ３５が並列的に位置する構成としたので、その厚さを略半分程度にすることができ、光ディスクドライブ４の全体の薄型化に寄与することができる。例えば、本発明を適用した振動減衰機構３１では、記録再生ユニット２１が取り付けられたディスクトレイ１１の全体の厚みを、９．５ｍｍより薄くすることができる。
【００４６】
また、各振動減衰部３２において、インシュレータ３５は、並列的に２つ用いられていることから、全体の薄型化を図りつつ、インシュレータ３５を小型化薄型化することによる共振周波数の上昇や振動の減衰効果の低減を防止することができる。
【００４７】
なお、以上説明した光ディスクドライブに用いた振動減衰機構３１では、記録再生ユニット２１側に第１及び第２の取付片３３，３４を設けるようにし、ベースとなるディスクトレイ１１の開口部１７の周辺部を、第１及び第２の取付片３３，３４に取り付けられたインシュレータ３５で挟み込む構成としたが、本発明では、これとは逆に、ディスクトレイ１１の開口部１７の周辺部に第１及び第２の取付片３３，３４を設け、記録再生ユニット２１側に第１及び第２の挿入凹部３８，３９を設けるようにし、ディスクトレイ１１側に設けられた第１及び第２の取付片３３，３４に取り付けられたインシュレータ３５によって記録再生ユニット２１を挟み込むような構成としても良い。
【００４８】
上述した情報処理装置１は、ノート型のパーソナルコンピュータであり、記憶手段として、光ディスクドライブ４の他にハードディスクドライブ５を備える。装置本体２に内蔵されるハードディスクドライブ５は、図１１に示すように、磁気ディスク５１がハブによって駆動源となるスピンドルモータ５２に一体的により付けられている。また、この磁気ディスク５１は、磁気ヘッド５３により情報信号の記録や再生が行われる。この磁気ヘッド５３は、アーム５４の先端部に設けられた磁気ヘッド素子５５を、磁気ディスク５１の径方向にボイスコイルモータ５６によって移動する。
【００４９】
このハードディスクドライブ５は、内部に塵埃等が浸入することを防止するため、ケース５７内に、磁気ディスク５１、スピンドルモータ５２及びボイスコイルモータ５６が配設されている。以上のように構成されたハードディスクドライブ５は、更に、装置本体２を構成する筐体に取り付けるため、取付体５８にねじ等の固定部材によって固定される。そして、ハードディスクドライブ５が取り付けられた取付体５８に装置本体２を構成する筐体内に取り付けられる。装置本体２の筐体内には、取付体５８が取り付けられる被取付体として、固定片５９が設けられている。
【００５０】
ハードディスクドライブ５が取り付けられた取付体５８を装置本体２の固定片５９に取り付けるに当たっては、上述した振動減衰機構３１が用いられる。ここでの振動減衰機構３１は、ハードディスクドライブ５のケース５７が略矩形をなすように形成されていることから、取付体５８もケース５７を保持することができるように略矩形に形成されている。そこで、振動減衰機構３１を構成する振動減衰部３２は、例えば各コーナ近傍に４カ所設けられている。各振動減衰部３２は、ハードディスクドライブ５が取り付けられた取付体５８側に、上述したインシュレータ３５が取り付けられる第１及び第２の取付片３３，３４が設けられ、装置本体２の固定片５９側に第１及び第２の挿入凹部３８，３９が設けられている。そして、装置本体２の筐体に設けられた固定片５９は、ハードディスクドライブ５の取付体５８の第１の取付片３３に取り付けられたインシュレータ３５と第２の取付片３４に取り付けられたインシュレータ３５とによって挟み込まれた状態となり、これによって、振動減衰が可能な状態となる。
【００５１】
したがって、例えば大きな衝撃が装置本体２に加わったとしても、振動減衰機構３１によって振動を減衰することができ、磁気ヘッド素子５５が磁気ディスク５１に衝突し、磁気ディスク５１や磁気ヘッド素子５５が故障することを防止することができる。また、ハードディスクドライブ５の動作時において、装置本体２に衝撃が加わったとしても、振動減衰機構３１が振動を減衰することから、磁気ヘッド５３は、磁気ディスク５１の記録トラックを確実にトレースすることができ、情報信号の記録や再生を確実に行うことができる。
【００５２】
以上のような振動減衰機構３１をハードディスクドライブ５の取付に用いた情報処理装置１では、振動減衰部３２を、インシュレータ３５を２分割して構成し、それぞれのインシュレータ３５を、面方向にずらされた第１及び第２の取付片３３，３４に取り付けるようにしたので、全体の薄型化を図ることができる。そして、この情報処理装置１では、振動減衰機構３１を、光ディスクドライブ４における記録再生ユニット２１のディスクトレイ１１への取り付けやハードディスクドライブ５の装置本体２内への取付を用いることで、全体として更に薄型化することができる。
【００５３】
なお、以上説明したハードディスクドライブ５に用いた振動減衰機構３１では、取付体５８側に第１及び第２の取付片３３，３４を設けるようにし、装置本体２の筐体側の固定片５９側に第１及び第２の挿入凹部３８，３９を設ける構成としたが、本発明では、これとは逆に、装置本体２の筐体側の固定片５９側に第１及び第２の取付片３３，３４を設け、取付体５８側に第１及び第２の挿入凹部３８，３９を設ける構成としても良い。
【００５４】
なお、以上説明したハードディスクドライブ５を取付体５８を介して装置本体２の筐体側の固定片５９に振動減衰機構３１を介して取り付ける構成は、例えば、周知である据え置き型の光ディスクの着脱可能な記録再生装置に適用することができる。すなわち、上述した光ディスク６を記録再生するための記録再生ユニット２１を取付体５８に取り付け、記録再生ユニット２１が取り付けられた取付体５８を、据え置きの筐体に設けられた固定片５９に取り付ける際に、振動減衰機構３１を用いるようにしても良い。
【００５５】
なお、以上の例では、情報処理装置１として、ノート型のパーソナルコンピュータを例に取り説明したが、本発明を適用した振動減衰機構３１は、据え置き型パーソナルコンピュータの光ディスクドライブの取付やハードディスクドライブの取付に適用することができる。また、ノート型パーソナルコンピュータの他、ＰＤＡ（Personal Digital(Data) Assistants）等に内蔵されるハードディスクドライブ等にも適用することができる。
【図面の簡単な説明】
【００５６】
【図１】情報処理装置の斜視図である。
【図２】本発明が適用されたディスクトレイを表面側から見た斜視図である。
【図３】上記ディスクトレイを裏面側から見た斜視図である。
【図４】ディスクトレイに取り付けられる記録再生ユニットの斜視図である。
【図５】インシュレータの斜視図であり、（Ａ）は、表面側から見た図であり、（Ｂ）は、裏面側から見た図である。
【図６】記録再生ユニットが取り付けられていない状態のディスクトレイを表面側から見た斜視図である。
【図７】記録再生ユニットが取り付けられていない状態のディスクトレイを裏面側から見た斜視図である。
【図８】振動減衰部の組み付け状態を示す断面図である。
【図９】ディスクトレイの裏面側から振動が加わったときの振動減衰部の状態を示す断面図である。
【図１０】ディスクトレイの表面側から振動が加わったときの振動減衰部の状態を示す断面図である。
【図１１】ハードディスクドライブの取付構造を示す側面図である。
【図１２】従来の振動減衰装置を示す断面図である。
【図１３】下側から振動が加わったときの従来の振動減衰装置の状態を示す断面図である。
【図１４】上側から振動が加わったときの従来の振動減衰装置の状態を示す断面図である。
【符号の説明】
【００５７】
１  情報処理装置、２  装置本体、３  表示部、４  光ディスクドライブ、５  ハードディスクドライブ、６  光ディスク、１１  ディスクトレイ、２１  記録再生ユニット、２２  取付板、２３  ディスク回転機構、２４  光ピックアップ、２５  送り機構、３１  振動減衰機構、３２ａ〜３２ｃ  振動減衰部、３３  第１の取付片、３４  第２の取付片、３５  インシュレータ、３５ａ  突き当て部、３５ｂ  取付部、３６  突部、３７  係合片、３８  第１の挿入凹部、３９  第２の挿入凹部、４１  覆板、５１  磁気ディスク、５２  スピンドルモータ、５３  磁気ヘッド、５４  アーム、５５  磁気ヘッド素子、５６  ボイスコイルモータ、５７  ケース、５８  取付体、５９  固定片
【図１】
2006134543.tif 000003
【図２】
2006134543.tif 000004
【図３】
2006134543.tif 000005
【図４】
2006134543.tif 000006
【図５】
2006134543.tif 000007
【図６】
2006134543.tif 000008
【図７】
2006134543.tif 000009
【図８】
2006134543.tif 000010
【図９】
2006134543.tif 000011
【図１０】
2006134543.tif 000012
【図１１】
2006134543.tif 000013
【図１２】
2006134543.tif 000014
【図１３】
2006134543.tif 000015
【図１４】
2006134543.tif 000016